(57)【要約】      （修正有）【課題】光源装置を適切に取り外せる照明装置及びプロジェクターを提供する。【解決手段】光源装置５と、光源装置５が取り付けられる被取付部材と、光源装置５に挿入されて、光源装置５を被取付部材に固定する第１固定具（ねじＳＲ）と、を備え、光源装置５は、光源５６と、光源５６を内部に収納するハウジング５１と、を有し、ハウジング５１は、互いに組み合わされて光源５６を内部に収納する第１筐体５１１及び第２筐体５１２と、第１筐体５１１及び第２筐体５１２に挿入されて、第１筐体５１１及び第２筐体５１２を組み合わせた状態で固定する第２固定具（ねじＳＣ１）と、を有し、第１固定具ＳＲの挿入方向と、第２固定具ＳＣ１の挿入方向とは異なる。【選択図】図１１
2017040785.tif 000002
【特許請求の範囲】
【請求項１】
光源装置と、
前記光源装置が取り付けられる被取付部材と、
前記光源装置及び前記被取付部材に挿入されて、前記光源装置及び前記被取付部材を固定する第１固定具と、を備え、
前記光源装置は、
光源と、
前記光源を内部に収納するハウジングと、を有し、
前記ハウジングは、
互いに組み合わされて前記光源を内部に収納する第１筐体及び第２筐体と、
前記第１筐体及び前記第２筐体に挿入されて、前記第１筐体及び前記第２筐体を固定する第２固定具と、を有し、
前記光源装置に対する前記第１固定具の抜取方向及び前記第２固定具の抜取方向は異なることを特徴とする照明装置。
【請求項２】
請求項１に記載の照明装置において、
前記第１固定具は、前記光源装置に対して前記被取付部材が位置する方向に沿って前記光源装置及び前記被取付部材に挿入され、
前記第２固定具は、前記第１固定具の挿入方向とは反対方向に沿って、前記第１筐体及び前記第２筐体に挿入されることを特徴とする照明装置。
【請求項３】
請求項２に記載の照明装置において、
前記第１筐体は、前記ハウジングにおいて前記被取付部材側に位置し、
前記第２筐体は、前記ハウジングにおいて前記被取付部材とは反対側に位置し、
前記第１固定具は、前記第２筐体側から前記被取付部材に挿入され、
前記第２固定具は、前記第１筐体側から前記第２筐体に挿入されることを特徴とする照明装置。
【請求項４】
請求項３に記載の照明装置において、
前記第１筐体は、前記被取付部材に対向する面に、前記第２固定具が挿入される挿入孔を有し、
前記挿入孔に挿入された前記第２固定具は、前記被取付部材により覆われることを特徴とする照明装置。
【請求項５】
請求項３又は請求項４に記載の照明装置において、
前記第１筐体は、前記第２筐体側から挿入されて前記被取付部材に固定される前記第１固定具が挿通する孔部を有することを特徴とする照明装置。
【請求項６】
請求項５に記載の照明装置において、
前記第１筐体は、前記被取付部材に対する前記光源装置の取付側から見て前記第２筐体より外側に突出する突出部を有し、
前記孔部は、前記突出部に位置することを特徴とする照明装置。
【請求項７】
請求項１から請求項６のいずれか一項に記載の照明装置において、
前記第１筐体は、前記第２筐体に対して、前記光源装置による光の出射側に位置することを特徴とする照明装置。
【請求項８】
請求項１から請求項７のいずれか一項に記載の照明装置を備えることを特徴とするプロジェクター。
【請求項９】
請求項８に記載のプロジェクターにおいて、
前記照明装置は、前記光源装置を複数備え、
当該プロジェクターは、複数の前記光源装置から出射された光の光路を変更して出射する光路変更装置を備えることを特徴とするプロジェクター。
【発明の詳細な説明】
【技術分野】
【０００１】
本発明は、照明装置及びプロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、を備えたプロジェクターが知られている（例えば、特許文献１参照）。
この特許文献１に記載のプロジェクターでは、光源装置は、発光管及び反射鏡を有する光源装置本体と、平行化レンズと、これらを内部に収納するハウジングと、流路切替機構と、を備えている。これらのうち、ハウジングは、反射鏡の前方側を覆う筒状部材と、反射鏡の後方側を覆う遮蔽部材と、が組み合わされて構成されている。
【先行技術文献】
【特許文献】
【０００３】
【特許文献１】特開２０１１−１８１４３１号公報
【発明の概要】
【発明が解決しようとする課題】
【０００４】
ところで、光源装置は、発光管の破裂や寿命等によって交換する必要がある。このような場合、当該光源装置がプロジェクター内の光源収納部材に直接取り付けられている場合には、当該光源収納部から光源装置を取り外して交換する。また、光源装置が取り付けられた光源取付部材がプロジェクター内に着脱可能に設けられている場合には、当該光源取付部材をプロジェクターから取り外した上で、当該光源取付部材から光源装置を取り外して交換する。これらの構成において、被取付部材（例えば上記光源収納部材及び光源取付部材）に光源装置を固定する光源装置用固定具と、光源装置のハウジングを構成する複数の部材（例えば上記筒状部材及び遮蔽部材）を固定するハウジング用固定具とが視認されると、光源装置を交換する作業者が誤ってハウジング用固定具を取り外してしまうおそれがある。
【０００５】
本発明は、上記課題の少なくとも一部を解決することを目的としたものであり、光源装置を適切に取り外せる照明装置及びプロジェクターを提供することを目的の１つとする。
【課題を解決するための手段】
【０００６】
本発明の第１態様に係る照明装置は、光源装置と、前記光源装置が取り付けられる被取付部材と、前記光源装置及び前記被取付部材に挿入されて、前記光源装置及び前記被取付部材を固定する第１固定具と、を備え、前記光源装置は、光源と、前記光源を内部に収納するハウジングと、を有し、前記ハウジングは、互いに組み合わされて前記光源を内部に収納する第１筐体及び第２筐体と、前記第１筐体及び前記第２筐体に挿入されて、前記第１筐体及び前記第２筐体を固定する第２固定具と、を有し、前記光源装置に対する前記第１固定具の抜取方向及び前記第２固定具の抜取方向は異なることを特徴とする。
【０００７】
なお、第１固定具及び第２固定具としては、ねじ等の締結部材を例示できる。
上記第１態様によれば、被取付部材に光源装置を固定する第１固定具の抜取方向と、ハウジングの第１筐体と第２筐体とを固定する第２固定具の抜取方向とが異なるので、当該第１固定具の抜取方向側から光源装置を見た場合に、第２固定具を視認しづらくすることができる。従って、第１固定具を抜き取って被取付部材から光源装置を取り外す際に、第２固定具が抜き取られることを抑制でき、光源装置を適切に取り外すことができる。
【０００８】
上記第１態様では、前記第１固定具は、前記光源装置に対して前記被取付部材が位置する方向に沿って前記光源装置及び前記被取付部材に挿入され、前記第２固定具は、前記第１固定具の挿入方向とは反対方向に沿って、前記第１筐体及び前記第２筐体に挿入されることが好ましい。
このような構成によれば、第１固定具及び第２固定具のそれぞれの挿入方向が互いに反対方向となるので、上記のように、第１固定具の抜取方向側から光源装置を見た場合に、第２固定具を一層視認しづらくすることができる。これにより、第１固定具を抜き取って被取付部材から光源装置を取り外す際に、第２固定具が抜き取られることを確実に抑制できる。従って、被取付部材から光源装置を適切に取り外すことができる。
【０００９】
上記第１態様では、前記第１筐体は、前記ハウジングにおいて前記被取付部材側に位置し、前記第２筐体は、前記ハウジングにおいて前記被取付部材とは反対側に位置し、前記第１固定具は、前記第２筐体側から前記被取付部材に挿入され、前記第２固定具は、前記第１筐体側から前記第２筐体に挿入されることが好ましい。
このような構成によれば、第１固定具及び第２固定具のそれぞれの挿入方向を確実に互いに反対方向にすることができる。換言すると、これら第１固定具及び第２固定具のそれぞれの抜取方向を確実に互いに反対方向にすることができる。従って、第１固定具の抜取時に、第２固定具を一層確実に視認させづらくすることができ、当該第２固定具が抜き取られることを確実に抑制できる。
【００１０】
上記第１態様では、前記第１筐体は、前記被取付部材に対向する面に、前記第２固定具が挿入される挿入孔を有し、前記挿入孔に挿入された前記第２固定具は、前記被取付部材により覆われることが好ましい。
このような構成によれば、被取付部材に光源装置が取り付けられた状態では、第２固定具を視認しづらくなるので、当該被取付部材から光源装置を取り外す際に、第２固定具が抜き取られることを一層確実に抑制できる。従って、被取付部材から光源装置を適切に取り外すことができる。
【００１１】
上記第１態様では、前記第１筐体は、前記第２筐体側から挿入されて前記被取付部材に固定される前記第１固定具が挿通する孔部を有することが好ましい。
ここで、上記孔部が被取付部材から離れた第２筐体に位置する場合には、当該孔部と被取付部材との間の寸法が長くなる。この場合、比較的長い第１固定具を採用する必要があるだけでなく、被取付部材に対する光源装置の固定が安定しづらい。
これに対し、第２筐体に比べて被取付部材に近い第１筐体に上記孔部が位置することにより、当該孔部と被取付部材との間の寸法を短縮できる。従って、比較的短い第１固定具を採用でき、被取付部材に光源装置を安定して固定できる。
【００１２】
上記第１態様では、前記第１筐体は、前記被取付部材に対する前記光源装置の取付側から見て前記第２筐体より外側に突出する突出部を有し、前記孔部は、前記突出部に位置することが好ましい。
このような構成によれば、第１固定具が挿通する孔部が、第２筐体より外側に突出した突出部に位置することにより、被取付部材に対する光源装置の取付側にて、第１固定具を容易に挿抜でき、ひいては、当該第１固定具を被取付部材に対して容易に挿抜できる。従って、被取付部材に対する光源装置の着脱を容易に行うことができる。
【００１３】
上記第１態様では、前記第１筐体は、前記第２筐体に対して、前記光源装置による光の出射側に位置することが好ましい。
このような構成によれば、光源装置は、第２筐体に対して光の出射側に位置する第１筐体が被取付部材に近くなるように配置される。これによれば、被取付部材に対する光の出射位置の調整を容易に実施できる。従って、照明装置から出射される光の進行方向を容易かつ適切に調整できる。
【００１４】
本発明の第２態様に係るプロジェクターは、上記照明装置を備えることを特徴とする。
上記第２態様によれば、上記第１態様に係る照明装置と同様の効果を奏することができる。
【００１５】
上記第２態様では、前記照明装置は、前記光源装置を複数備え、当該プロジェクターは、複数の前記光源装置から出射された光の光路を変更して出射する光路変更装置を備えることが好ましい。
このような構成によれば、被取付部材に複数の光源装置が取り付けられる場合や、光源装置が取り付けられた被取付部材が複数設けられる場合に、光路変更装置により、各光源装置から出射された光を一方向に揃えて出射できる。従って、各光源装置から出射された光を有効に利用して画像を形成でき、投射される画像の輝度を高めることができる。
【図面の簡単な説明】
【００１６】
【図１】本発明の一実施形態に係るプロジェクターを示す概略斜視図。
【図２】上記実施形態におけるプロジェクターの内部構成を示す模式図。
【図３】上記実施形態における照明装置を示す斜視図。
【図４】上記実施形態における照明装置の平面図。
【図５】上記実施形態における光源装置が取り付けられた状態の光源取付部材を示す斜視図。
【図６】上記実施形態における光源装置が取り外された状態の光源取付部材を示す斜視図。
【図７】上記実施形態における分流部材を示す斜視図。
【図８】上記実施形態における分流部材を示す斜視図。
【図９】上記実施形態における光源装置を示す斜視図。
【図１０】上記実施形態における光源装置を示す斜視図。
【図１１】上記実施形態における光源装置を示す分解斜視図。
【図１２】上記実施形態における光源装置を示す分解斜視図。
【図１３】上記実施形態における中間部材、光源及び固定部材を示す分解斜視図。
【図１４】上記実施形態における中間部材、光源及び固定部材を示す分解斜視図。
【図１５】上記実施形態における中間部材を示す図。
【図１６】上記実施形態における中間部材を示す図。
【図１７】上記実施形態における光源を示す断面図。
【図１８】上記実施形態におけるリフレクターを示す図。
【図１９】上記実施形態における固定部材を示す図。
【図２０】上記実施形態における光源及び固定部材が取り付けられた中間部材を示す図。
【図２１】上記実施形態における光源及び固定部材が取り付けられた中間部材を示す図。
【発明を実施するための形態】
【００１７】
以下、本発明の一実施形態について、図面に基づいて説明する。
［プロジェクターの外観構成］
図１は、本実施形態に係るプロジェクター１を示す概要斜視図である。
本実施形態に係るプロジェクター１は、後述する照明装置３１から出射される光を変調して画像情報に応じた画像を形成し、当該画像をスクリーン等の被投射面上に拡大投射する投射型表示装置である。このプロジェクター１は、図１に示すように、外装を構成する外装筐体２を備える。
このようなプロジェクター１は、詳しくは後述するが、複数の光源装置５が着脱可能に取り付けられる複数のランプユニット４と、各ランプユニットから出射された光を一方向に揃えて出射する光路変更装置７と、を有する照明装置３１（図２参照）を、外装筐体２内に備える。そして、当該プロジェクター１は、ランプユニット４を構成する光源取付部材６の取付部に各光源装置５を固定する固定具の抜取方向と、光源装置５を構成する第１筐体５１１及び第２筐体５１２（図１１及び図１２参照）を固定する固定具の抜取方向とが逆となるように構成されている点を１つの特徴として有する。また、プロジェクター１は、光源装置５に丸型リフレクターであるリフレクター６５２（図１１及び図１２参照）が採用され、光出射側に位置する出射側筐体５１Ａに対して当該リフレクター６５２が固定される点を他の特徴として有する。
以下、プロジェクター１の構成について説明する。
【００１８】
［外装筐体の構成］
外装筐体２は、略直方体形状に形成されており、当該外装筐体２は、天面部２１、底面部２２、正面部２３、背面部２４、左側面部２５及び右側面部２６を有する。
天面部２１には、使用者によるプロジェクター１の把持や、天井等に設置された器具に対するプロジェクター１の固定等に利用される一対の把手部２１１が設けられている。
底面部２２には、図示を省略するが、載置面上にプロジェクター１が載置される際に、当該載置面と接触する脚部が設けられている。
正面部２３には、後述する投射光学装置３５の一部を露出させる開口部２３１が形成されている。
背面部２４には、図示を省略するが、後述する照明装置３１（図２参照）のランプユニット４（４Ａ，４Ｂ）及び光路変更装置７を外装筐体２の内外に挿抜するための開口部が形成されている。この開口部は、カバー部材によって覆われている。
【００１９】
［プロジェクターの内部構成］
図２は、プロジェクター１の内部構成を示す模式図である。
プロジェクター１は、上記外装筐体２の他、図２に示すように、当該外装筐体２内に配置される画像形成装置３を備える。この他、プロジェクター１は、当該プロジェクター１を制御する制御装置、及び、当該プロジェクター１を構成する電子部品に電力を供給する電源装置を備える。
【００２０】
［画像形成装置の構成］
画像形成装置３は、上記制御装置から入力される画像情報に応じた画像を形成及び投射する。この画像形成装置３は、照明装置３１、均一化装置３２、色分離装置３３、電気光学装置３４、投射光学装置３５、光学部品用筐体３６及びベース部材３７を備える。
これらのうち、ベース部材３７は、光学部品用筐体３６と接続されるとともに、照明装置３１を構成するランプユニット４（４Ａ，４Ｂ）及び光路変更装置７が固定される部材である。
【００２１】
照明装置３１は、均一化装置３２に光を出射する。この照明装置３１の構成については、後に詳述する。
均一化装置３２は、照明装置３１から出射された光の中心軸に対する直交面内の照度を均一化する。この均一化装置３２は、シネマフィルター３２１、第１レンズアレイ３２２、ＵＶフィルター３２３、第２レンズアレイ３２４、偏光変換素子３２５及び重畳レンズ３２６を有する。
色分離装置３３は、均一化装置３２から入射される光を、赤（Ｒ）、緑（Ｇ）及び青（Ｂ）の３つの色光に分離する。この色分離装置３３は、ダイクロイックミラー３３１，３３２、反射ミラー３３３〜３３６及びリレーレンズ３３７，３３８を有する。
【００２２】
電気光学装置３４は、分離された各色光を画像情報に応じて変調した後、変調された各色光を合成する。この電気光学装置３４は、分離された色光毎に設けられる光変調装置としての液晶パネル３４１（赤、緑及び青用の液晶パネルを、それぞれ３４１Ｒ，３４１Ｇ，３４１Ｂとする）、入射側偏光板３４２及び出射側偏光板３４３と、１つの色合成装置３４４と、を有する。これらのうち、色合成装置３４４としては、クロスダイクロイックプリズムを採用できる。
投射光学装置３５は、色合成装置３４４によって合成された光（画像を形成する光）を上記被投射面上に拡大投射する投射レンズである。このような投射光学装置３５としては、鏡筒内に複数のレンズが配置された組レンズを採用できる。
【００２３】
光学部品用筐体３６は、内部に照明光軸Ａｘが設定された箱状筐体であり、上記均一化装置３２及び色分離装置３３は、光学部品用筐体３６内における照明光軸Ａｘ上の位置に配置される。また、照明装置３１、電気光学装置３４及び投射光学装置３５は、光学部品用筐体３６外に位置するものの当該照明光軸Ａｘに応じて配置される。
【００２４】
［照明装置の構成］
図３は、照明装置３１を示す斜視図であり、図４は、当該照明装置３１を示す平面図である。
照明装置３１は、上記のように、均一化装置３２に光を出射する。この照明装置３１は、図２〜図４に示すように、それぞれ複数の光源装置５を有する複数のランプユニット４（４Ａ，４Ｂ）と、光路変更装置７と、冷却装置８と、を備える。詳述すると、照明装置３１は、それぞれ２つの光源装置５を有する２つのランプユニット４Ａ，４Ｂと、光路変更装置７と、冷却装置８と、を備える。
なお、以下の説明において、照明装置３１から出射される光の進行方向を＋Ｚ方向とし、当該＋Ｚ方向にそれぞれ直交し、かつ、互いに直交する方向を＋Ｘ方向及び＋Ｙ方向とする。本実施形態では、左側面部２５から右側面部２６に向かう方向を＋Ｘ方向とし、底面部２２から天面部２１に向かう方向を＋Ｙ方向とする。また、図示を省略するが、説明の便宜上、＋Ｚ方向とは反対方向を−Ｚ方向として説明する。−Ｘ方向及び−Ｙ方向も同様である。
【００２５】
［冷却装置の構成］
冷却装置８は、上記制御装置による制御の下、各光源装置５に供給される冷却気体を送出し、当該各光源装置５を構成する発光管５６１（図１１参照）を冷却する。この冷却装置８は、図３及び図４に示すように、後述する光路変更装置７に対してＹ方向側に配置されている。このような冷却装置８は、それぞれ独立して駆動して、外装筐体２内の冷却気体を吸引し、対応する光源装置５に供給される冷却気体を送出する冷却ファン８１〜８４と、当該冷却ファン８１〜８４が配置される箱状の筐体８５と、を有する。
なお、詳しくは後述するが、冷却ファン８１，８２から−Ｘ方向に沿って送出された冷却気体は、光源装置５Ａ，５Ｂのそれぞれに応じた２つの分流部材ＤＭを介して当該光源装置５Ａ，５Ｂに供給される。また、冷却ファン８３，８４から＋Ｘ方向に沿って送出された冷却気体は、光源装置５Ｃ，５Ｄのそれぞれに応じた２つの分流部材ＤＭを介して、当該光源装置５Ｃ，５Ｄに供給される。
【００２６】
［ランプユニットの構成］
ランプユニット４Ａ，４Ｂは、それぞれ、２つの光源装置５と、当該２つの光源装置５が取り付けられる光源取付部材６と、を有する。具体的に、ランプユニット４Ａ，４Ｂのうち、第１ランプユニット４Ａは、光源装置５Ａ，５Ｂ及び光源取付部材６Ａを有し、第２ランプユニット４Ｂは、光源装置５Ｃ，５Ｄ及び光源取付部材６Ｂを有する。
これらのうち、光源装置５の構成については、後に詳述する。
また、光源取付部材６（６Ａ，６Ｂ）は、２つの光源装置５が取り付けられた状態でプロジェクター１内外に挿抜される。
【００２７】
［光源取付部材の構成］
図５は、第１ランプユニット４Ａを示す斜視図であり、図６は、光源取付部材６Ａを示す斜視図である。すなわち、図５及び図６は、光源装置５Ａ，５Ｂが取り付けられた状態の光源取付部材６Ａ、及び、光源装置５が取り付けられていない状態の光源取付部材６Ａを、それぞれ同方向から見た斜視図である。
第１ランプユニット４Ａを構成する光源取付部材６Ａは、図５及び図６に示すように、Ｚ方向に直列に並んだ２つの取付部６Ａ２を有する本体部６Ａ１と、当該本体部６Ａ１に固定された把持部６Ａ９と、を有する。
把持部６Ａ９は、本体部６Ａ１における−Ｚ方向側の端部に固定されている。この把持部６Ａ９には、使用者によって把持される把手６Ａ９１が＋Ｙ方向に沿う軸を中心として回動可能に設けられている。
【００２８】
２つの取付部６Ａ２には、光出射側の面を対向させるようにして光源装置５が−Ｘ方向に沿って取り付けられる。これら取付部６Ａ２のうち、−Ｚ方向側の取付部６Ａ２には、光源装置５Ａが取り付けられ、＋Ｚ方向側の取付部６Ａ２には、光源装置５Ｂが取り付けられる。
これら取付部６Ａ２は、図６に示すように、光源装置５における光出射側の面と対向する側面部６Ａ３をそれぞれ有し、各側面部６Ａ３には、対応する光源装置５から出射された光が通過する略円形状の開口部６Ａ４が形成されている。すなわち、光源装置５における光出射側の面は、側面部６Ａ３（光源取付部材６Ａ）により覆われる。
この他、側面部６Ａ３は、光源装置５側に突出する複数のボス６Ａ５，６Ａ６を有する。ボス６Ａ５の先端には、光源装置５に挿入されて当該光源装置５を位置決めする位置決め突起が設けられている。また、ボス６Ａ６には、光源装置５に挿入されたねじＳＲ（図１１及び図１２参照）が螺合するねじ孔が形成されている。
【００２９】
また、各取付部６Ａ２は、＋Ｙ方向側の位置に＋Ｘ方向側（光源装置５側）に突出する突出部６Ａ７を有する。この突出部６Ａ７には、光源装置５に設けられたコネクター５１３２，５１３３（図９参照）と接続されて、当該光源装置５に電力を供給する２つの端子６Ａ８が、それぞれの取付部６Ａ２に応じて設けられている。
【００３０】
上記取付部６Ａ２に光源装置５を取り付ける際には、まず、光源装置５の光出射側の面５１１Ｆ（図９参照）を取付部６Ａ２に向け、コネクター５１３２，５１３３と端子６Ａ８とが接続されるように、光源装置５を取付部６Ａ２に取り付ける。この際、上記ボス６Ａ５の位置決め突起を挿入して光源装置５を位置決めした状態で、光源装置５を挿通したねじＳＲを上記ボス６Ａ６のねじ孔に螺合させる。これにより、図５に示すように、光源装置５が、対応する取付部６Ａ２に固定される。すなわち、光源装置５は、当該光源装置５の出射光の進行方向（後述する＋Ｎ方向）に沿って取付部６Ａ２に取り付けられる。
【００３１】
なお、−Ｚ方向側に位置する取付部６Ａ２と、＋Ｚ方向側の取付部６Ａ２とでは、＋Ｙ方向における位置が異なる。詳述すると、−Ｚ方向側に位置する取付部６Ａ２は、＋Ｚ方向側に位置する取付部６Ａ２より＋Ｙ方向側に位置する。このため、これら取付部６Ａ２に取り付けられる光源装置５Ａ，５Ｂのうち、光源装置５Ａは、光源装置５Ｂより＋Ｙ方向側に配置される。
【００３２】
第２ランプユニット４Ｂの光源取付部材６Ｂは、図３及び図４に示すように、光源取付部材６Ａの本体部６Ａ１と同様の本体部６Ｂ１と、把持部６Ａ９と同様の把持部６Ｂ９と、を有する。
これらのうち、把手６Ｂ９１を有する把持部６Ｂ９は、本体部６Ｂ１において−Ｚ方向側の端部に固定されている。すなわち、各ランプユニット４Ａ，４Ｂが光路変更装置７を挟むように配置された場合、把持部６Ａ９，６Ｂ９は、照明装置３１において−Ｚ方向側にそれぞれ位置する。
本体部６Ｂ１は、図示を省略するが、＋Ｚ方向に直列に並んで配置されて、それぞれ光源装置５Ｃ，５Ｄが取り付けられる２つの取付部を有し、当該２つの取付部は、上記取付部６Ａ２と同様の構成を有する。この本体部６Ｂ１において、＋Ｚ方向側の取付部は、−Ｚ方向側の取付部より＋Ｙ方向側に位置しており、これにより、光源装置５Ｄは、光源装置５Ｃより＋Ｙ方向側の位置に固定される。
【００３３】
すなわち、照明装置３１を＋Ｘ方向又は−Ｘ方向に沿って見た場合、光源取付部材６Ａ，６Ｂに取り付けられた光源装置５Ａ，５Ｃは、＋Ｚ方向において重なる位置に、出射光の進行方向が互いに逆方向となるように対向配置される。同様に、光源取付部材６Ａ，６Ｂに取り付けられた光源装置５Ｂ，５Ｄは、＋Ｚ方向において重なる位置に、出射光の進行方向が互いに逆方向となるように対向配置される。
一方、光源装置５Ａ，５ＣのＹ方向における配置位置は互いに異なり、光源装置５Ｂ，５ＤのＹ方向における配置位置は互いに異なる。換言すると、光源装置５Ａ，５Ｄは、Ｙ方向において同じ位置にあり、光源装置５Ｂ，５Ｃは、Ｙ方向において同じ位置にある。
これにより、互いに対向する光源装置５Ａ，５Ｃのうち、一方の出射光が他方に入射されることを抑制できるとともに、互いに対向する光源装置５Ｂ，５Ｄのうち、一方の出射光が他方に入射されることを抑制できる。
【００３４】
［分流部材の構成］
図７は、分流部材ＤＭを冷却気体の流入側から見た斜視図である。また、図８は、分流部材ＤＭを当該流入側で、かつ、光源装置５と対向する側から見た斜視図である。
上記本体部６Ａ１，６Ｂ１における突出部６Ａ７内には、上記各冷却ファン８１〜８４から送出された冷却気体を、対応する光源装置５に導く分流部材ＤＭが、それぞれ設けられている。これら分流部材ＤＭは、図７及び図８に示すように、導入口ＤＭ１、それぞれ独立した複数のダクト部ＤＭ２〜ＤＭ５、流路切替部材ＤＭ６、及び、導出口ＤＭ７を有する。
【００３５】
導入口ＤＭ１は、分流部材ＤＭにおいて対応する冷却ファンと対向する面に略正方形状に形成されており、当該導入口ＤＭ１内には、各ダクト部ＤＭ２〜ＤＭ５の一端が連通している。また、導入口ＤＭ１内には、略３／５円形状の板状体である流路切替部材ＤＭ６が、当該導入口ＤＭ１に対する冷却気体の流通方向に沿う回転軸を中心として回転可能に取り付けられている。この流路切替部材ＤＭ６は、プロジェクター１の姿勢に応じて自重によって回転することにより、ダクト部ＤＭ３〜ＤＭ５のうち、導入口ＤＭ１内に導入された冷却気体の一部が主に流通するダクト部を切り替える。
なお、ダクト部ＤＭ２の一端は、導入口ＤＭ１内において流路切替部材ＤＭ６より冷却気体の上流側に位置している。このため、プロジェクター１の姿勢、すなわち、流路切替部材ＤＭ６の回転状態に関わらず、導入口ＤＭ１内に導入された冷却気体のうち一部の冷却気体は、ダクト部ＤＭ２内に導入される。
【００３６】
導出口ＤＭ７は、ダクト部ＤＭ２〜ＤＭ５の他端によって形成される導出口ＤＭ７１〜ＤＭ７４により構成されている。これらのうち、導出口ＤＭ７１は、ダクト部ＤＭ２の他端により形成され、導出口ＤＭ７２は、ダクト部ＤＭ３の他端により形成される。また、導出口ＤＭ７３は、ダクト部ＤＭ４の他端により形成され、導出口ＤＭ７４は、ダクト部ＤＭ５の他端により形成される。
このような分流部材ＤＭは、冷却装置８において対応する上記冷却ファンから導入口ＤＭ１内に導入された一部の冷却気体を、ダクト部ＤＭ２を介して導出口ＤＭ７１から光源装置５に送出する。また、分流部材ＤＭは、導入口ＤＭ１内に導入された他の一部の冷却気体を、ダクト部ＤＭ３〜ＤＭ５のうち、プロジェクター１の姿勢に応じて回転された流路切替部材ＤＭ６によって閉塞されないダクト部を介して、当該ダクト部に応じた導出口（導出口ＤＭ７２〜ＤＭ７４の少なくともいずれか）から光源装置５に送出する。
これにより、プロジェクター１の姿勢に応じた位置から、後述する光源装置５の発光管５６１に冷却気体を送風できる。
【００３７】
［光路変更装置の構成］
光路変更装置７は、図２に示すように、各ランプユニット４Ａ，４Ｂの間に配置される。この光路変更装置７は、光源装置５Ａ，５Ｂから−Ｘ方向に沿って入射される光、及び、光源装置５Ｃ，５Ｄから＋Ｘ方向に沿って入射される光を＋Ｚ方向側に反射させ、ひいては、上記均一化装置３２に入射させる。
このような光路変更装置７は、各光源装置５Ａ〜５Ｄに応じて設けられる４つの反射ミラー７１〜７４及び４つのレンズ７５〜７８と、これらが内部に収納される筐体７９と、を有する。
【００３８】
反射ミラー７１は、光源装置５Ａからの出射光が入射される位置に配置され、反射ミラー７２は、光源装置５Ｂからの出射光が入射される位置に配置されている。また、反射ミラー７３は、光源装置５Ｃからの出射光が入射される位置に配置され、反射ミラー７４は、光源装置５Ｄからの出射光が入射される位置に配置される。これら反射ミラー７１〜７４は、入射された光を、＋Ｚ方向側に反射させる。
なお、上記のように、光源装置５Ａ，５Ｄは、光源装置５Ｂ，５Ｃより＋Ｙ方向側に位置するため、これら光源装置５Ａ，５Ｄから光が入射される反射ミラー７１，７４も、光源装置５Ｂ，５Ｃから光が入射される反射ミラー７２，７３より＋Ｙ方向側に位置している。
【００３９】
レンズ７５〜７８は、対応する反射ミラー７１〜７４によって反射された光の光路上に設けられる。具体的に、＋Ｙ方向側から見た場合に、レンズ７５は、反射ミラー７１，７２の間に配置され、当該反射ミラー７１によって反射された光源装置５Ａの出射光を平行化する。レンズ７６は、反射ミラー７２に対して＋Ｚ方向側に配置され、当該反射ミラー７２によって反射された光源装置５Ｂの出射光を平行化する。同様に、レンズ７７は、反射ミラー７３，７４の間に配置され、当該反射ミラー７３によって反射された光源装置５Ｃの出射光を平行化する。レンズ７８は、反射ミラー７４に対して＋Ｚ方向側に配置され、当該反射ミラー７４によって反射された光源装置５Ｄの出射光を平行化する。
このような光路変更装置７により、各光源装置５Ａ〜５Ｄの出射光は、反射ミラー７１〜７４及びレンズ７５〜７８により反射及び平行化されて、＋Ｚ方向側に出射される。
【００４０】
［光源装置の構成］
図９は、光源装置５を光出射側から見た斜視図であり、図１０は、当該光源装置５を光出射側とは反対側から見た斜視図である。また、図１１は、光源装置５を光出射側から見た分解斜視図であり、図１２は、当該光源装置５を光出射側とは反対側から見た分解斜視図である。
光源装置５（５Ａ〜５Ｄ）は、上記のように、各光源取付部材６に取り付けられ、それぞれ上記光路変更装置７に向けて光を出射する。
これら光源装置５は、図９及び図１０に示すように、ハウジング５１を有する他、図１１及び図１２に示すように、遮光部材５２、中間部材５３、平行化レンズ５４、押さえ部材５５、光源５６、固定部材５７、遮光部材５８、及び、複数のねじＳＣ１，ＳＣ２を有する。
【００４１】
なお、以下の説明では、光源装置５から出射された光の進行方向を＋Ｎ方向とし、当該＋Ｎ方向に直交し、かつ、互いに直交する方向を＋Ｌ方向及び＋Ｍ方向とする。本実施形態では、光源装置５が光源取付部材６に取り付けられた際に、上記＋Ｙ方向に沿う方向を＋Ｍ方向とし、当該＋Ｍ方向側が上側となるように光源装置５を光出射側から見た場合に、左方から右方に向かう方向を＋Ｌ方向とする。すなわち、光源取付部材６Ａに取り付けられた光源装置５Ａ，５Ｂにおいては、＋Ｎ方向は−Ｘ方向と一致し、＋Ｍ方向は＋Ｙ方向と一致し、＋Ｌ方向は＋Ｚ方向と一致する。一方、光源取付部材６Ｂに取り付けられた光源装置５Ｃ，５Ｄにおいては、＋Ｎ方向は＋Ｘ方向と一致し、＋Ｍ方向は＋Ｙ方向と一致し、＋Ｌ方向は−Ｚ方向と一致する。なお、図示を省略するが、説明の便宜上、＋Ｎ方向とは反対方向を−Ｎ方向として説明する。−Ｍ方向及び−Ｌ方向も同様である。
【００４２】
［ハウジングの構成］
ハウジング５１は、内部に上記部材５２〜５８を収納する光源用筐体であり、当該ハウジング５１は、第１筐体５１１、第２筐体５１２及び端子部５１３と、後述する中間部材５３とが組み合わされて構成される。すなわち、第１筐体５１１及び中間部材５３が組み合わされることにより、ハウジング５１において光源装置５からの光出射側に位置する出射側筐体５１Ａが構成され、第２筐体５１２及び端子部５１３が組み合わされることにより、ハウジング５１において当該光出射側とは反対側に位置する基端側筐体５１Ｂが構成される。
【００４３】
［第２筐体及び端子部の構成］
ここで、第２筐体５１２及び端子部５１３について、先に説明する。
第２筐体５１２及び端子部５１３は、上記のように、互いに組み合わされ、ハウジング５１において光出射方向基端側（−Ｎ方向側）に位置する基端側筐体５１Ｂを構成する。
これらのうち、端子部５１３は、図９〜図１２に示すように、＋Ｌ方向に幅広な幅広部５１３１が＋Ｍ方向側に形成された略Ｔ字状に形成されている。この幅広部５１３１には、後述する発光管５６１に電力を供給する２つのコネクター５１３２，５１３３が設けられる。これらコネクター５１３２，５１３３は、光源取付部材６に設けられた端子部（例えば端子６Ａ８）に接続される。
【００４４】
第２筐体５１２は、略直方体形状の箱状筐体であり、−Ｎ方向側の端面に形成された凹部５１２１に上記端子部５１３が嵌合されて固定される。この第２筐体５１２における−Ｎ方向側の端部は、＋Ｍ方向側に突出しており、当該突出部分と上記幅広部５１３１が重なるように、上記端子部５１３は、第２筐体５１２に取り付けられる。
このような第２筐体５１２は、＋Ｎ方向側に開口する略八角形状の開口部５１２２を有し、当該開口部５１２２内には、光源５６を構成するリフレクター５６２における−Ｎ方向側の端部と、中空な略八角形柱状に形成された遮光部材５８と、が収納される。
なお、遮光部材５８は、発光管５６１から出射された光のうち、リフレクター５６２を透過する紫外線及び赤外線によって、第２筐体５１２の内部が劣化することを抑制する金属製部材である。
【００４５】
第２筐体５１２における＋Ｎ方向側の端面の四隅、すなわち、開口部５１２２の周囲には、ねじ孔５１２３が形成されている。これらねじ孔５１２３には、第１筐体５１１を挿通したねじＳＣ１が螺合し、これにより、第２筐体５１２と第１筐体５１１とが組み合わされ、ハウジング５１が構成される。
なお、第２筐体５１２における＋Ｌ方向側の側面、及び、−Ｌ方向側の側面には、それぞれ、冷却気体の流通口５１２４，５１２５が形成されている。これら流通口５１２４，５１２５を通過する冷却気体は、遮光部材５８における＋Ｌ方向側の側面、及び、−Ｌ方向側の側面のそれぞれに形成された流通口を通過し、この流通過程にてリフレクター５６２の−Ｎ方向側の端面を冷却する。
【００４６】
［第１筐体の構成］
第１筐体５１１は、光源装置５において最も＋Ｎ方向に位置し、後述する中間部材５３と組み合わされて出射側筐体５１Ａを構成し、上記第２筐体５１２に＋Ｎ方向側からねじＳＣ１により固定される。すなわち、光源装置５が光源取付部材６に取り付けられた際には、第１筐体５１１は、上記第２筐体５１２に対して当該光源取付部材６側（＋Ｎ方向側）に位置し、当該第２筐体は、光源取付部材６とは反対側（−Ｎ方向側）に位置する。この第１筐体５１１は、出射側筐体５１Ａにおける本体部に相当する。
このような第１筐体５１１における＋Ｎ方向側の面５１１Ｆには、図１２に示すように、ハウジング５１内に収納される光源５６から出射される光が通過する略円形状の開口部５１１１が形成されている。この面５１１Ｆ（光出射側の面５１１Ｆ）は、光源装置５が光源取付部材６に取り付けられた際に、上記取付部（例えば取付部６Ａ２）に対向し、かつ、当該取付部によって覆われる部位である。
また、第１筐体５１１は、−Ｎ方向側に開口する凹状の収納部５１１２を有する。この収納部５１１２内には、後述する遮光部材５２が配置される。また、収納部５１１２を−Ｎ方向側から閉塞するように、中間部材５３が取り付けられる。
【００４７】
第１筐体５１１における＋Ｍ方向側の面５１１Ｕには、上記分流部材ＤＭから送出された冷却気体を内部に導入する導入口５１１３〜５１１６が、上記導出口ＤＭ７１〜ＤＭ７４に応じて形成されている。これら導入口５１１３〜５１１６を介して第１筐体５１１内に導入された冷却気体は、中間部材５３を介して、光源５６に供給される。
第１筐体５１１における−Ｍ方向側の面５１１Ｄには、光源５６を冷却した冷却気体を排出する排出口５１１７（図１２参照）が形成されている。この排出口５１１７は、メッシュＭＳによって覆われる。このメッシュＭＳは、発光管５６１が破裂した場合に破片が排出口５１１７から飛散することを抑制するものである。
【００４８】
上記面５１１Ｕの＋Ｌ方向における両端近傍、及び、上記面５１１Ｄの＋Ｌ方向における両端近傍には、突出部５１１８が突設されている。具体的に、面５１１Ｕに位置する突出部５１１８は、＋Ｍ方向側に突出しており、上記面５１１Ｄに位置する突出部５１１８は、−Ｍ方向側に突出している。
これら突出部５１１８は、図５に示すように、−Ｎ方向側（図５の例では＋Ｘ方向側）から見て第２筐体５１２より外側に位置しており、当該第２筐体５１２によって覆われることなく−Ｎ方向側からアクセス可能となっている。
そして、これら突出部５１１８のそれぞれには、孔部５１１９が形成されており、４つの孔部５１１９のうち、２つの孔部５１１９には、上記ボス６Ａ５の位置決め突起が挿入され、他の２つの孔部５１１９には、−Ｎ方向側から＋Ｎ方向に沿ってねじＳＲ（図１１及び図１２参照）が挿通する。
なお、上記面５１１Ｆにおける隅部で、かつ、各突出部５１１８より第１筐体５１１の中央側の位置には、＋Ｎ方向側から−Ｎ方向に沿ってねじＳＣ１が挿入される挿入孔５１１Ａがそれぞれ形成されている。
【００４９】
［遮光部材の構成］
遮光部材５２は、上記のように、収納部５１１２内に−Ｎ方向側から挿入され、中間部材５３は、当該収納部５１１２を−Ｎ方向側から閉塞する。
遮光部材５２は、後述する中間部材５３の導風部５３２の側面において、発光管５６１から出射された光のうち、開口部５３４５を挟むように設けられた２つの開口を通過する光から第１筐体５１１を保護する機能を有する。
【００５０】
［中間部材の構成］
図１３及び図１４は、中間部材５３、光源５６及び固定部材５７を光出射側（＋Ｎ方向側）及び光出射側とは反対側（−Ｎ方向側）から見た分解斜視図である。また、図１５は、中間部材５３を＋Ｎ方向側から見た図である。
中間部材５３は、後述する光源５６及び固定部材５７が取り付けられた状態で、上記収納部５１１２を閉塞し、出射側筐体５１Ａを構成する。この中間部材５３は、図１３〜図１５に示すように、＋Ｎ方向側から見て略正方形状を有する本体部５３１と、当該本体部５３１の略中央が＋Ｎ方向に円錐台形状に突出した導風部５３２と、を有する一体成形品である。
【００５１】
導風部５３２は、中間部材５３が第１筐体５１１に取り付けられた際に、上記収納部５１１２内に配置され、第１筐体５１１内に導入された冷却気体を、当該導風部５３２の内側に位置する発光管５６１（図１１参照）に導く機能を有する。
このような導風部５３２における＋Ｎ方向側には、図１３及び図１５に示すように、略円形状の開口部５３３が形成されている。この開口部５３３には、図１１及び図１２に示すように、平行化レンズ５４が嵌め込まれ、当該平行化レンズ５４を押さえる押さえ部材５５が、当該開口部５３３の端縁に固定される。
【００５２】
また、導風部５３２の側面には、図１３及び図１５に示すように、５つの開口部５３４（５３４１〜５３４５）が形成されている。
開口部５３４１は、導風部５３２の側面において＋Ｍ方向側に位置する。この開口部５３４１は、導入口５１１３から導入された冷却気体を＋Ｍ方向側から導風部５３２内に流入させる。
開口部５３４２は、開口部５３４１に対して−Ｎ方向側に位置する。この開口部５３４２は、導入口５１１５から導入された冷却気体を、＋Ｍ方向側から導風部５３２内に流入させる。
開口部５３４３は、導風部５３２の側面において＋Ｌ方向側に位置する。この開口部５３４３は、導風部５３２と上記第１筐体５１１とが組み合わされることによって形成されるダクト部（図示省略）を介して上記導入口５１１４から導入された冷却気体を、＋Ｌ方向側から導風部５３２内に流入させる。
開口部５３４４は、導風部５３２の側面において−Ｌ方向側に位置する。この開口部５３４４は、同様に導風部５３２と上記遮光部材５２とが組み合わされることによって形成される他のダクト部（図示省略）を介して上記導入口５１１６から導入された冷却気体を、−Ｌ方向側から導風部５３２内に流入させる。
開口部５３４５は、導風部５３２の側面において−Ｍ方向側に位置する。
【００５３】
これら開口部５３４１〜５３４５のうち、開口部５３４２〜５３４４を通過した冷却気体は、後述する発光管５６１の発光部５６１１に送出される。一方、開口部５３４１を通過した冷却気体は、当該発光管５６１の封止部５６１３に送出される。
これにより、プロジェクター１の姿勢に応じて、発光管５６１の部位のうち最も温度が高くなる発光部５６１１の上部（図１７参照）に、開口部５３４２〜５３４４の少なくともいずれかから冷却気体を送出できる他、当該プロジェクター１の姿勢に依らずに、封止部５６１３に冷却気体を送出できる。従って、発光部５６１１を効率よく冷却できる他、封止部５６１３の電極引出線５６１７とリード線（図示省略）との接続部を確実に冷却できる。このようにして発光管５６１を冷却した冷却気体は、流出口として機能する開口部５３４５、中間部材５３及び第１筐体５１１を介して、−Ｍ方向に流出される。
【００５４】
本体部５３１における４つの隅部のそれぞれには、＋Ｎ方向側から−Ｎ方向に沿って上記挿入孔５１１Ａに挿入されて第２筐体５１２に螺合するねじＳＣ１（図１１及び図１２参照）が挿通する孔部５３５が形成されている。
また、本体部５３１における１つの多角線上で、かつ、１つの隅部と導風部５３２との間、及び、当該隅部とは反対側の隅部と導風部５３２との間には、後述する固定部材５７を中間部材５３に固定するねじＳＣ２が螺合するねじ孔５３６が、形成されている。更に、これらねじ孔５３６のそれぞれを挟む位置には、後述する固定部材５７を位置決めする位置決め部５３７（図１４）が−Ｎ方向側に突設されている。
【００５５】
図１６は、中間部材５３を−Ｎ方向側から見た図である。
中間部材５３を−Ｎ方向側から見て、導風部５３２の基端部分には、図１４及び図１６に示すように、内側に窪む環状の段差部５３８が形成されている。この段差部５３８には、光源５６を構成するリフレクター５６２の開口端縁が嵌め込まれる。
また、本体部５３１の−Ｎ方向側の面において導風部５３２の周囲には、略矩形状に形成された突出部５３９が等間隔に４つ突設されている。詳述すると、各突出部５３９は、導風部５３２に対して±Ｍ方向側及び±Ｌ方向側の位置に形成されている。これら突出部５３９は、後述する固定部材５７が中間部材５３に取り付けられる際に、当該固定部材５７の開口部５７４に挿入される部分である。
【００５６】
［光源の構成］
光源５６は、光を＋Ｎ方向側に出射するものであり、後述する固定部材５７によって中間部材５３側に押圧固定される。この光源５６は、図１３及び図１４に示すように、発光管５６１及びリフレクター５６２を有する。
【００５７】
［発光管の構成］
図１７は、光源５６のＮＭ平面に沿う断面を示す図である。
発光管５６１は、外部から供給される電力によって点灯する光源ランプである。この発光管５６１は、図１７に示すように、略球状に膨出する発光部５６１１と、当該発光部５６１１の両端から互いに離間する方向に延出する一対の封止部５６１２，５６１３と、を有する。
【００５８】
発光部５６１１の内部には、タングステンにより形成された一対の電極Ｅが配置される放電空間Ｓが形成され、当該放電空間Ｓ内には、発光物質が封入されている。この発光部５６１１における＋Ｎ方向側（リフレクター５６２とは反対側）の部分は、当該発光部５６１１から＋Ｎ方向側に射出された光を主反射鏡としてのリフレクター５６２側に反射する副反射鏡５６１８により覆われている。
封止部５６１２，５６１３は、上記電極Ｅとそれぞれ電気的に接続される金属箔５６１４，５６１５が内部に挿入された状態で封止されている。これら各金属箔５６１４，５６１５には、発光管５６１の外部まで延出する電極引出線５６１６，５６１７がそれぞれ接続され、これら電極引出線５６１６，５６１７にリード線（図示省略）を介して電力が供給されると、発光部５６１１内部が発光する。
【００５９】
［リフレクターの構成］
リフレクター５６２は、発光部５６１１及び副反射鏡５６１８から入射される光のうち、可視光を＋Ｎ方向側に反射させ、赤外線及び紫外線を透過させるコールドミラーであり、凹曲面状の反射面５６２Ａを有する。このリフレクター５６２は、開口端縁が＋Ｎ方向側から見て略円形状に形成され、かつ、−Ｎ方向側の端部が略半球形状に形成された円型リフレクターである。このようなリフレクター５６２は、図１７に示すように、発光部５６１１に対して−Ｎ方向側に位置する封止部５６１２に接着剤により固定される。
【００６０】
図１８は、リフレクター５６２を−Ｎ方向側から見た図である。
リフレクター５６２の開口端縁には、フランジ状に外側に突出する環状部５６２１が形成されている。この環状部５６２１は、図１８に示すように、−Ｎ方向側から見て略円形状に形成されており、上記中間部材５３の段差部５３８に嵌合される他、後述する固定部材５７によって押圧される部分である。
また、環状部５６２１における−Ｎ方向側の面には、−Ｎ方向側の突出した２つの凸部５６２２が形成されている。詳述すると、２つの凸部５６２２は、−Ｎ方向側からリフレクター５６２を見た場合、発光管５６１の配置位置を中心として９０°離間した位置にそれぞれ設けられている。
【００６１】
［固定部材の構成］
図１９は、固定部材５７を−Ｎ方向側から見た図である。
固定部材５７は、上記リフレクター５６２を中間部材５３に押圧しつつ、当該中間部材５３にねじＳＣ２により固定される。この固定部材５７は、図１３、図１４及び図１９に示すように、板金を折曲加工することにより形成され、−Ｎ方向側から見て略正方形状を有する。
このような固定部材５７は、開口部５７１、凹部５７２、押圧部５７３、開口部５７４、拡縮部５７５、位置決め孔５７６、挿通孔５７７及び可撓部５７８を有する。
【００６２】
開口部５７１は、固定部材５７の略中央に略円形状に形成されている。この開口部５７１には、上記リフレクター５６２の−Ｎ方向側の一部が挿入される。なお、開口部５７１の内径寸法は、リフレクター５６２の外径寸法より小さく設定されている。このため、開口部５７１にリフレクター５６２の−Ｎ方向側の一部が挿入された際には、当該開口部５７１の端縁に、上記環状部５６２１が当接される。
【００６３】
凹部５７２は、開口部５７１の端縁で、かつ、固定部材５７の４つの隅部のうちの２つに応じた位置に形成されている。具体的に、２つの凹部５７２は、開口部５７１の中央を中心とした場合に互いに９０°離れた位置に形成されている。換言すると、２つの凹部５７２のうち、第１凹部５７２１は、開口部５７１の端縁のうち、＋Ｌ方向側で＋Ｍ方向側の隅部に応じた位置に形成され、第２凹部５７２２は、同じく開口部５７１の端縁のうち、＋Ｌ方向側で−Ｍ方向側の隅部に応じた位置に形成されている。これら凹部５７２１，５７２２には、開口部５７１にリフレクター５６２が挿入された際に、上記凸部５６２２が嵌まり込む。これにより、円形状のリフレクター５６２が固定部材５７と係合した状態で＋Ｎ方向に沿う回転軸を中心として回転することが抑制される。
【００６４】
押圧部５７３は、上記開口部５７１に挿入されたリフレクター５６２を当該開口部５７１の端縁に向けて押圧付勢して、当該リフレクター５６２の揺動を規制する付勢部（板ばね部）である。この押圧部５７３は、開口部５７１の端縁のうち、上記第２凹部５７２２とは反対側の位置（−Ｌ方向側でＭ方向側の位置）に配置されている。このような押圧部５７３は、当該第２凹部５７２２側にリフレクター５６２を押圧付勢する。
【００６５】
開口部５７４は、−Ｎ方向側から見て、固定部材５７の各辺縁の略中央に形成されている。これら４つの開口部５７４には、中間部材５３の上記突出部５３９が挿入される。すなわち、開口部５７４は、突出部５３９が挿入される被挿入部である。
【００６６】
拡縮部５７５は、固定部材５７の各辺縁に位置し、−Ｎ方向側に延出している。これら拡縮部５７５の一部は、開口部５７４における外側（固定部材５７の中心に対する外側）の端縁を形成している。このため、拡縮部５７５が固定部材５７の中央側に撓められると（辺縁を中心として中央側に回動されると）、開口部５７４が拡径される。また、開口部５７４が拡径された状態で拡縮部５７５が元に戻ると、開口部５７４が縮径される。
このように拡縮部５７５が操作されて開口部５７４が拡径された状態で、当該開口部５７４内に上記突出部５３９が挿入される。そして、対応する突出部５３９が各開口部５７４に挿入された状態で、手を離す等して拡縮部５７５の位置を元に戻すと開口部５７４が縮径されて、対応する開口部５７４の端縁により各突出部５３９が挟持される。これにより、固定部材５７が中間部材５３に仮固定される。
なお、これら４つの拡縮部５７５のそれぞれは、先端部分が中央側に傾斜しており、把持した拡縮部５７５を撓ませやすくなっている。また、これら拡縮部５７５は、リフレクター５６２を通過した紫外線及び赤外線を遮蔽する遮蔽部としても機能する。
【００６７】
位置決め孔５７６は、上記中間部材５３の位置決め部５３７に応じた位置に形成されている。これら位置決め孔５７６には、位置決め部５３７が挿入され、これにより、固定部材５７が中間部材５３に位置決めされる。
【００６８】
挿通孔５７７及び一対の可撓部５７８は、固定部材５７において同じ対角線上に位置する２つの隅部近傍に、切欠によりそれぞれ形成されている。
これらのうち、挿通孔５７７は、固定部材５７を中間部材５３に固定するねじＳＣ２が−Ｎ方向側から挿通する。
一対の可撓部５７８は、互いに対向する縁部の一部により上記挿通孔５７７の端縁を形成する。この一対の可撓部５７８は、挿通孔５７７とは反対側の端部、すなわち、固定部材５７との接続部位を中心とする±Ｎ方向への可撓性を有する。このため、部品の寸法交差等により、ねじＳＣ２が挿通する挿通孔５７７の位置と、中間部材５３において当該ねじＳＣ２が螺合するねじ孔５３６の位置とがずれた場合でも、一対の可撓部５７８が撓むことにより、当該挿通孔５７７の位置を調整でき、ひいては、当該挿通孔５７７の位置とねじ孔５３６の位置とを合わせることができる。
【００６９】
［中間部材に対する光源及び固定部材の取付］
図２０は、光源５６及び固定部材５７が取り付けられた中間部材５３を−Ｎ方向側から見た図である。
光源５６を固定部材５７により中間部材５３に固定する際には、以下の手順による。
まず、固定部材５７の開口部５７１に上記リフレクター５６２の一部を挿入し、当該固定部材５７の凹部５７２に当該リフレクター５６２の２つの凸部５６２２を嵌め込む。この状態で、リフレクター５６２の開口端縁を、中間部材５３の段差部５３８に嵌め込み、位置決め部５３７を位置決め孔５７６に挿入するようにして、固定部材５７を−Ｎ方向側から中間部材５３に取り付ける。
【００７０】
図２１は、光源５６及び固定部材５７が取り付けられた中間部材５３を＋Ｎ方向側から見た図である。なお、図２１においては、中間部材５３に固定される平行化レンズ５４及び押さえ部材５５の図示を省略している。
この際、固定部材５７の拡縮部５７５を撓ませて開口部５７４を拡径させた状態で、当該開口部５７４内に突出部５３９を挿入する。そして、拡縮部５７５を元に戻すことにより開口部５７４を縮径させ、開口部５７４の端縁によって突出部５３９を挟持させる。これにより、固定部材５７及び光源５６が中間部材５３に仮固定される。
この後、−Ｎ方向側から２つのねじＳＣ２を、対応する挿通孔５７７に挿入し、更に中間部材５３に形成されたねじ孔５３６に螺合させる。これにより、図２０及び図２１に示すように、固定部材５７及び光源５６が中間部材５３に固定される。
【００７１】
［光源装置の組立］
光源装置５を組み立てる際には、例えば、図１１に示すように、遮光部材５２が配置された収納部５１１２が上記中間部材５３により閉塞された第１筐体５１１（出射側筐体５１Ａ）と、遮光部材５８及び端子部５１３が取り付けられた第２筐体５１２（基端側筐体５１Ｂ）とを、ねじＳＣ１により固定する。この際、ねじＳＣ１は、＋Ｎ方向側から第１筐体５１１の挿入孔５１１Ａに−Ｎ方向に沿って挿入され、第２筐体５１２のねじ孔５１２３に螺合する。
これにより、光源装置５が組み立てられる。
【００７２】
［光源取付部材への光源装置の取付］
光源装置５は、上記のように、光源取付部材６に取り付けられる。
例えば、光源装置５Ａ，５Ｂは、図５及び図６に示すように、光源取付部材６Ａの取付部６Ａ２に−Ｘ方向に沿って取り付けられる。そして、これら光源装置５Ａ，５Ｂは、突出部５１１８に形成された孔部５１１９を−Ｘ方向に沿って挿通したねじＳＲ（図１１及び図１２参照）が当該取付部６Ａ２に突設されたボス６Ａ６のねじ孔（図示省略）に螺合することにより、取付部６Ａ２に固定される。
光源装置５Ｃ，５Ｄが光源取付部材６Ｂの取付部に固定される場合も同様に、当該光源装置５Ｃ，５Ｄは、当該取付部に＋Ｘ方向に沿って取り付けられて固定される。
【００７３】
すなわち、光源装置５Ａ，５Ｂは、当該光源装置５Ａ，５Ｂにとっての＋Ｎ方向に沿って挿入されるねじＳＲにより光源取付部材６Ａに固定され、光源装置５Ｃ，５Ｄは、当該光源装置５Ｃ，５Ｄにとっての＋Ｎ方向に沿って挿入されるねじＳＲにより光源取付部材６Ｂに固定される。
このように、光源装置５を光源取付部材６に固定するねじＳＲの挿入方向と、第１筐体５１１及び第２筐体５１２を固定するねじＳＣ１の挿入方向とは、互いに反対方向となり、光源装置５に対するねじＳＲの挿入側と、ねじＳＣ１の挿入側とは、互いに反対側となる。換言すると、光源装置５からのねじＳＲの抜取方向と、当該光源装置５からのねじＳＣ１の抜取方向は、互いに反対方向となる。そして、当該ねじＳＣ１が配置される面５１１Ｆは、光源取付部材６によって覆われる。このため、光源取付部材６に対する光源装置５の取付側、すなわち、ねじＳＲの抜取側から光源装置５を見た場合には、ねじＳＣ１は視認されない。
これにより、光源装置５を光源取付部材６から取り外す際に、誤ってねじＳＣ１が取り外されて、光源取付部材６に第１筐体５１１が固定されたまま、当該第１筐体５１１から第２筐体５１２が分離してしまうことを抑制できる。
【００７４】
以上説明した本実施形態に係るプロジェクター１によれば、以下の効果がある。
被取付部材としての光源取付部材６に光源装置５を固定する第１固定具としてのねじＳＲの抜取方向と、第１筐体５１１と第２筐体５１２とを固定する第２固定具としてのねじＳＣ１の抜取方向とは異なる。これによれば、光源取付部材６Ａに対する光源装置５（５Ａ，５Ｂ）の例では、図５に示すように、ねじＳＲの抜取方向側（＋Ｘ方向側）から光源装置５を見た場合に、ねじＳＣ１を視認しづらくすることができる。光源取付部材６Ｂに対する光源装置５Ｃ，５Ｄにおいても同様である。従って、ねじＳＲを抜き取って光源取付部材６から光源装置５を取り外す際に、ねじＳＣ１が誤って抜き取られることを抑制でき、当該光源取付部材６から光源装置５を適切に取り外すことができる。
【００７５】
ねじＳＲは、光源装置５に対して光源取付部材６が位置する方向（＋Ｎ方向）に沿って、これら光源装置５及び光源取付部材６に挿入され、ねじＳＣ１は、ねじＳＲの挿入方向とは反対方向（−Ｎ方向）に沿って、第１筐体５１１及び第２筐体５１２に挿入される。これによれば、上記のように、ねじＳＲの抜取方向側（−Ｎ方向側）から光源装置５を見た場合に、ねじＳＣ１を一層視認しづらくすることができる。これにより、光源取付部材６からの光源装置５の取外し時に、ねじＳＣ１が抜き取られることを確実に抑制できる。従って、光源取付部材６から光源装置５を適切に取り外すことができる。
【００７６】
第１筐体５１１（出射側筐体５１Ａ）は、ハウジング５１において光源取付部材６側に位置し、第２筐体５１２（基端側筐体５１Ｂ）は、ハウジング５１において光源取付部材６とは反対側に位置する。また、ねじＳＲは、第２筐体５１２側から光源取付部材６のボス（光源取付部材６Ａにおいてはボス６Ａ６）に挿入され、ねじＳＣ１は、第１筐体５１１側から第２筐体５１２に挿入される。これによれば、ねじＳＲ，ＳＣ１のそれぞれの挿入方向を確実に互いに反対方向にすることができる。換言すると、これらねじＳＲ，ＳＣ１のそれぞれの抜取方向を確実に互いに反対方向にすることができる。従って、ねじＳＲの抜取の際に、ねじＳＣ１を一層確実に視認させづらくすることができ、当該ねじＳＣ１が抜き取られることを確実に抑制できる。
【００７７】
第１筐体５１１は、光源取付部材６に対向する面５１１Ｆに、ねじＳＣ１が挿入される挿入孔５１１Ａを有する。そして、光源装置５が光源取付部材６に取り付けられた際には、面５１１Ｆと挿入孔５１１Ａに挿入されたねじＳＣ１とは、光源取付部材６により覆われる。これによれば、光源取付部材６から光源装置５を取り外す際に、ねじＳＣ１が視認されることを一層確実に抑制できる。従って、光源装置５の取外し時にねじＳＣ１が抜き取られることを一層確実に抑制でき、光源取付部材６から光源装置５を適切に取り外すことができる。
【００７８】
ここで、光源取付部材６に固定されるねじＳＲが挿通する孔部が、光源取付部材６から離れた第２筐体５１２に位置する場合には、当該孔部と光源取付部材６との間の寸法が長くなる。このような場合、比較的長いねじＳＲを採用する必要があるだけでなく、光源取付部材６に対する光源装置５の固定が安定しづらい。
これに対し、第２筐体５１２側から挿入されて光源取付部材６に固定されるねじＳＣ１が挿通する孔部５１１９が、第１筐体５１１に位置することにより、上記の場合に比べて、当該孔部５１１９と光源取付部材６との間の寸法を短縮できる。従って、比較的短いねじＳＲを採用でき、光源取付部材６に光源装置５を安定して固定できる。
【００７９】
第１筐体５１１は、光源取付部材６に対する光源装置５の取付側（−Ｎ方向側であり、光源装置５Ａ，５Ｂにおいては＋Ｘ方向側、光源装置５Ｃ，５Ｄにおいては−Ｘ方向側）から見て第２筐体５１２より外側に突出する突出部５１１８を有する。そして、ねじＳＲが挿通する孔部５１１９は、当該突出部５１１８に位置する。これによれば、光源取付部材６に対する光源装置５の取付側にて、当該孔部５１１９に対してねじＳＲを容易に挿抜でき、ひいては、当該ねじＳＲを光源取付部材６に容易に挿抜できる。従って、光源取付部材６に対する光源装置５の着脱を容易に行うことができる。
【００８０】
第１筐体５１１は、第２筐体５１２に対して、光源装置５による＋Ｎ方向側（光の出射側）に位置する。これによれば、光源装置５は、当該光源装置５において光出射側に位置する第１筐体５１１が光源取付部材６と対向するように配置されるので、光源取付部材６に対する光源装置５からの光の出射位置調整を容易に実施できる。従って、照明装置３１から出射される光の進行方向を容易かつ適切に調整できる。
【００８１】
照明装置３１は、光源装置５Ａ，５Ｂが取り付けられる光源取付部材６Ａと、光源装置５Ｃ，５Ｄが取り付けられる光源取付部材６Ｂと、各光源装置５Ａ〜５Ｄから出射された光の光路を変更して出射する光路変更装置７と、を備える。これによれば、光路変更装置７により、各光源装置５Ａ〜５Ｄから出射された光を＋Ｚ方向に揃えて出射できる。従って、各光源装置５Ａ〜５Ｄから出射された光を有効に利用しやすくすることができ、投射される画像の輝度を高めることができる。
なお、照明装置３１が、複数の光源装置５を取付可能な光源取付部材６を１つ有する場合や、各光源取付部材６に設けられる光源装置５が１つである場合でも、上記光路変更装置７により、各光源装置５から出射された光を＋Ｚ方向に揃えて出射できる。従って、これらの構成においても、上記効果を奏することができる。
【００８２】
固定部材５７は、リフレクター５６２を固定した状態で、出射側筐体５１Ａを構成する中間部材５３に取り付けられる。これによれば、リフレクター５６２を中間部材５３に容易に取り付けることができる。従って、リフレクター５６２として丸型リフレクターを採用できるので、角型リフレクターが採用される場合に比べて、反射光の集光及び一方向化、並びに、リフレクター５６２の厚さの均一化が容易になる。従って、発光部５６１１から出射される光の利用効率を向上させることができる他、光源装置５の製造の容易性を向上させることができる。
【００８３】
リフレクター５６２は、外側に向けて突出する凸部５６２２を有する。また、固定部材５７は、当該リフレクター５６２の一部が挿入される開口部５７１と、当該開口部５７１の端縁に位置し、凸部５６２２が嵌まり込む凹部５７２と、を有する。これによれば、リフレクター５６２における−Ｎ方向側の端部が＋Ｎ方向側から開口部５７１に挿入された際に、凸部５６２２が凹部５７２に嵌まり込むことにより、＋Ｎ方向に沿う軸を中心とするリフレクター５６２の回転を抑制できる。従って、リフレクター５６２を中間部材５３に安定して取り付けることができる。
【００８４】
固定部材５７は、凸部５６２２が嵌まり込む凹部５７２側にリフレクター５６２を押圧する押圧部５７３を有する。これによれば、リフレクター５６２の揺動及び回転を確実に抑制できる。従って、リフレクター５６２を一層安定して固定できる。
【００８５】
出射側筐体５１Ａを構成する中間部材５３は、固定部材５７側に突出する突出部５３９を有し、固定部材５７は、当該突出部５３９が挿入される被挿入部である開口部５７４を有する。これによれば、リフレクター５６２が固定された状態の固定部材５７を中間部材５３に精度よく位置決めできる。従って、中間部材５３（出射側筐体５１Ａ）の適切な位置に固定部材５７、ひいては、リフレクター５６２を取り付けることができる。
【００８６】
固定部材５７は、開口部５７４の内径を拡縮させて、当該開口部５７４の端縁により突出部５３９を挟持させる拡縮部５７５を有する。これによれば、拡縮部５７５によって拡縮される開口部５７４の端縁により突出部５３９を挟持できるので、中間部材５３に対して固定部材５７を仮固定できる。従って、中間部材５３（出射側筐体５１Ａ）の適切な位置に固定部材５７、ひいては、リフレクター５６２を一層確実に取り付けることができる他、中間部材５３（出射側筐体５１Ａ）へのリフレクター５６２及び固定部材５７の取付工程を簡易に行うことができる。
【００８７】
拡縮部５７５は、固定部材５７において中間部材５３とは反対側に延出している。そして、拡縮部５７５が固定部材５７の中心側（開口部５７１の中心側）に変位されると、開口部５７４が拡径され、当該拡縮部５７５が固定部材５７の中心とは反対側（外側）に変位されると（元に戻ると）、開口部５７４が縮径される。これによれば、開口部５７４を簡易に拡縮させることができ、当該開口部５７４に突出部５３９を挿入する操作、及び、当該開口部５７４に挿入された突出部５３９を挟持させる操作を容易に実施できる。従って、中間部材５３に固定部材５７を容易に仮固定できる。
【００８８】
固定部材５７は、当該固定部材５７を中間部材５３に固定する固定具としてのねじＳＣ２が挿通される挿通孔５７７と、当該挿通孔５７７と連続して切り欠かれて形成され、挿通孔５７７の端縁を形成する可撓部５７８と、を有する。これによれば、固定部材５７及び中間部材５３の少なくともいずれかの部品寸法に公差が生じた場合でも、可撓部５７８が撓むことにより、挿通孔５７７の位置をねじ孔５４６の位置に合わせることができ、当該公差を吸収できる。従って、中間部材５３に固定部材５７を確実に取り付けることができる。
【００８９】
出射側筐体５１Ａは、基端側筐体５１Ｂの第２筐体５１２と組み合わされる本体部としての第１筐体５１１と、光源５６及び固定部材５７が取り付けられる中間部材５３と、を有する。この中間部材５３は、第１筐体５１１の内側に配置され、発光管５６１の発光部５６１１に冷却気体を導く導風部５３２を有する。そして、当該導風部５３２は、リフレクター５６２の開口端縁が嵌め込まれる段差部５３８を有する。これによれば、導風部５３２によって導かれる冷却気体の漏れを抑制でき、当該冷却気体を発光部５６１１に効率よく導風できる。従って、発光部５６１１の冷却効率を高めることができる。
【００９０】
［実施形態の変形］
本発明は、上記実施形態に限定されるものではなく、本発明の目的を達成できる範囲での変形、改良等は本発明に含まれるものである。
上記実施形態では、光源装置５は、外装筐体２内に挿抜される光源取付部材６に取り付けられるとした。しかしながら、本発明はこれに限らない。すなわち、光源装置５が取り付けられる被取付部材は、外装筐体２内に固定された光源取付部材（光源収納部材）であってもよい。また、光源取付部材６は、複数の光源装置５が着脱可能に構成されていなくてもよく、当該光源取付部材６に取付可能な光源装置５の数は問わない。更に、光源取付部材６は、プロジェクター１に２つ設けられていなくてもよく、１つでも、３つ以上でもよい。
【００９１】
上記実施形態では、光源装置５を光源取付部材６に固定する固定具としてねじＳＲが採用され、光源装置５のハウジング５１を構成する第１筐体５１１と第２筐体５１２とを固定する固定具としてねじＳＣ１が採用された。更に、固定部材５７を中間部材５３に固定する固定具としてねじＳＣ２が採用された。しかしながら、本発明はこれに限らない。すなわち、これら固定具は、ボルト等の他の締結部材であってもよい。
【００９２】
上記実施形態では、ねじＳＲは、光源装置５の孔部５１１９を＋Ｎ方向に沿って挿通して光源取付部材６の取付部に螺合するとし、ねじＳＣ１は、第１筐体５１１の挿入孔５１１Ａを−Ｎ方向に挿通して第２筐体５１２のねじ孔５１２３に螺合するとした。しかしながら、本発明はこれに限らない。すなわち、光源取付部材６への固定具の挿入方向（抜取方向）と、ハウジング５１への固定具の挿入方向（抜取方向）とは、互いに反対方向に限らず、異なっていればよい。例えば、これら固定具の挿入方向（抜取方向）が直交していてもよい。
【００９３】
上記実施形態では、第１筐体５１１は、光源装置５が光源取付部材６に取り付けられた際に、当該光源取付部材６によって覆われる面５１１Ｆに、ねじＳＣ１が挿通される挿入孔５１１Ａを有するとした。しかしながら、本発明はこれに限らない。すなわち、挿入孔５１１Ａが形成された面５１１Ｆは、光源取付部材６によって覆われなくてもよく、挿入孔５１１Ａは、他の面に位置していてもよい。
【００９４】
上記実施形態では、第１筐体５１１は、光源装置５を光源取付部材６に固定するねじＳＲが挿通する孔部５１１９を有し、第２筐体５１２は、このような孔部を有さないとした。しかしながら、本発明はこれに限らない。すなわち、当該ねじＳＲが挿通する孔部は、第２筐体５１２にのみ形成されていてもよく、第１筐体５１１及び第２筐体５１２のそれぞれに形成されていてもよい。
【００９５】
上記実施形態では、第１筐体５１１において孔部５１１９が形成される突出部５１１８は、−Ｎ方向側から見て第２筐体５１２より＋Ｍ方向及び−Ｍ方向に突出しているとした。しかしながら、本発明はこれに限らない。例えば、当該突出部５１１８は、＋Ｌ方向側及び−Ｌ方向側の少なくともいずれかに突出していてもよく、第１筐体５１１において孔部５１１９が形成される部位が、第２筐体５１２より大きく形成されていてもよい。或いは、上記孔部５１１９は、第２筐体５１２により覆われる位置に形成されていてもよい。
【００９６】
上記実施形態では、光源装置５は、第１筐体５１１が第２筐体５１２に対して光源取付部材６側に配置されるように、当該光源取付部材６に取り付けられるとした。しかしながら、本発明はこれに限らない。例えば、第２筐体が第１筐体より光源取付部材側に位置するように、光源装置が光源取付部材に取り付けられてもよい。すなわち、例えば図５に示した例において、光の出射方向が＋Ｘ方向になるように、光源装置５（５Ａ，５Ｂ）が光源取付部材６Ａに取り付けられてもよい。この場合、光源装置５を光源取付部材６に固定する固定具（ねじＳＲ）の抜取方向が＋Ｘ方向（＋Ｎ方向）に沿う方向となり、第１筐体５１１及び第２筐体５１２を固定する固定具（ねじＳＣ１）の抜取方向が−Ｘ方向（−Ｎ方向）に沿う方向となるように構成すればよい。
【００９７】
上記実施形態では、照明装置３１は、複数の光源装置５（５Ａ〜５Ｄ）から出射された光を＋Ｚ方向に揃えて出射する光路変更装置７を有する構成とした。しかしながら、本発明はこれに限らず、光路変更装置は無くてもよく、また、光路変更装置の構成も、上記光路変更装置７の構成に限定されない。
【００９８】
上記実施形態では、光源５６（リフレクター５６２）は、固定部材５７によって、出射側筐体５１Ａを構成する中間部材５３に取付及び固定されるとした。しかしながら、本発明はこれに限らない。例えば、当該光源５６（リフレクター５６２）は、固定部材５７によって第１筐体５１１に取付及び固定される構成としてもよい。すなわち、リフレクター５６２が当該リフレクター５６２によって反射された光の出射方向側に位置する出射側筐体に、固定部材によって取付及び固定される構成であれば、リフレクター５６２が取り付けられる部材は問わない。
また、ハウジング５１は、出射側筐体５１Ａ及び基端側筐体５１Ｂが組み合わされて構成されるとした。しかしながら、本発明はこれに限らず、基端側筐体５１Ｂは無くてもよい。
【００９９】
上記実施形態では、リフレクター５６２は、２つの凸部５６２２を有し、当該リフレクター５６２が開口部５７１に挿入される固定部材５７は、当該開口部５７１の端縁に、当該２つの凸部５６２２が嵌め込まれる２つの凹部５７２を有するとした。しかしながら、本発明はこれに限らない。すなわち、凸部５６２２の数は２つに限らず、また、当該凸部５６２２が挿入される凹部５７２の数も２つに限らない。例えば、リフレクター５６２は、凸部５６２２を１つ有する構成であってもよく、固定部材５７は、凹部５７２を１つ有する構成であってもよい。また、固定部材が凸部を有し、リフレクターが凹部を有する構成であってもよい。更に、他の構成（例えば押圧部５７３）によりリフレクター５６２の回転が抑制されれば、これら凸部及び凹部はなくてもよい。
【０１００】
上記実施形態では、固定部材５７は、開口部５７１の端縁に、凸部５６２２が嵌まり込む凹部５７２側にリフレクター５６２を押圧付勢する押圧部５７３を有するとした。しかしながら、本発明はこれに限らない。例えば、押圧部５７３の位置は、開口部５７１の端縁に限らず、他の部位でもよい。また、押圧部５７３によるリフレクター５６２の押圧方向は、他の方向でもよく、例えば、＋Ｌ方向側及び＋Ｍ方向側に位置する凹部５７２側でもよく、＋Ｌ方向側、＋Ｍ方向側又は−Ｍ方向側でもよい。これらの方向であれば、凸部５６２２が凹部５７２に嵌まり込んだ状態が維持されつつ、リフレクター５６２の揺動が規制される。
【０１０１】
上記実施形態では、中間部材５３の形成された４つの突出部５３９が、固定部材５７において対応する開口部５７４に挿入され、当該突出部５３９が開口部５７４の端縁によって挟持されることにより、固定部材５７が中間部材５３に仮固定されるとした。しかしながら、本発明はこれに限らない。例えば、突出部５３９及び開口部５７４、更には拡縮部５７５の数は、４つに限らず、適宜変更可能であり、これらの配置位置も適宜変更可能である。なお、これら突出部５３９、開口部５７４及び拡縮部５７５が、開口部５７１の中央を挟む位置に少なくとも一対設けられていれば、固定部材５７の仮固定が安定する。
また、これら突出部５３９及び開口部５７４を、中間部材５３に対する固定部材５７の位置決めに用いる場合には、突出部５３９は、開口部５７４の端縁によって挟持されなくてもよい。この場合、拡縮部５７５は省略できる。
【０１０２】
上記実施形態では、固定部材５７には、中間部材５３に螺合して当該中間部材５３に固定部材５７を固定するねじＳＣ２が挿通する挿通孔５７７と、当該挿通孔５７７の端縁を形成する一対の可撓部５７８とが、切欠により形成されているとした。しかしながら、本発明はこれに限らない。例えば、一対の可撓部５７８は無くてもよい。また、挿通孔５７７の内径寸法がねじＳＣ２の頭部の外径寸法より小さい範囲で当該内径寸法を大きくすることによって、上記部品寸法の公差を吸収する構成としてもよい。
【０１０３】
上記実施形態では、中間部材５３における導風部５３２の内側に、リフレクター５６２の開口端縁が嵌め込まれる段差部５３８が形成されているとした。しかしながら、本発明はこれに限らない。例えば、このような段差部５３８は無くてもよい。
【０１０４】
上記実施形態では、光源５６は、発光管５６１及びリフレクター５６２を有する構成とした。しかしながら、本発明はこれに限らない。例えば、発光管５６１に代えてＬＥＤ（Light Emitting Diode）及びＬＤ（Laser Diode）等の固体光源を採用してもよい。また、光源取付部材６に光源装置５を固定するねじＳＲの抜取方向と、光源装置５のハウジング５１を構成する第１筐体５１１及び第２筐体５１２を固定するねじＳＣ１の抜取方向とが異なることに関しては、リフレクター５６２は、円型リフレクターではなく角型リフレクターであってもよい。
【０１０５】
上記実施形態では、光変調装置として透過型の液晶パネル３４１（３４１Ｒ，３４１Ｇ，３４１Ｂ）を用いることとした。しかしながら、本発明は、これに限らない。例えば、光変調装置として、反射型の液晶パネルを採用してもよい。この場合、色分離装置３３及び色合成装置３４４のそれぞれの機能を１つのプリズムにより行ってもよい。
更に、光変調装置として、マイクロミラーを用いたデバイス、例えば、ＤＭＤ（Digital Micromirror Device）等の液晶以外の光変調装置を採用することも可能である。
【０１０６】
上記実施形態では、プロジェクター１は、３つの液晶パネル３４１を備える構成とした。しかしながら、本発明はこれに限らない。すなわち、２つ以下、あるいは、４つ以上の液晶パネルを有するプロジェクターにも、本発明を適用可能である。
上記実施形態では、画像形成装置３を構成する光学部品の配置は、図２に示す配置とした。しかしながら、本発明はこれに限らない。例えば、略Ｌ字状や略Ｕ字状等に構成された画像形成装置を採用してもよく、画像形成装置３を構成する光学部品の配置、当該光学部品の種類及び数は、適宜変更可能である。
【０１０７】
上記実施形態では、本発明の光源装置及び照明装置をプロジェクター１に適用した例を挙げた。しかしながら、本発明はこれに限らない。例えば照明器具や自動車の光源装置として、本発明の光源装置及び照明装置を適用することも可能である。
【符号の説明】
【０１０８】
１…プロジェクター、３１…照明装置、５（５Ａ，５Ｂ，５Ｃ，５Ｄ）…光源装置、５１…ハウジング、５１１…第１筐体、５１１８…突出部、５１１９…孔部、５１１Ａ…挿入孔、５１２…第２筐体、５６…光源、６（６Ａ，６Ｂ）…光源取付部材（被取付部材）、７…光路変更装置、ＳＲ…ねじ（第１固定具）、ＳＣ１…ねじ（第２固定具）。
【図１】
2017040785.tif 000003
【図２】
2017040785.tif 000004
【図３】
2017040785.tif 000005
【図４】
2017040785.tif 000006
【図５】
2017040785.tif 000007
【図６】
2017040785.tif 000008
【図７】
2017040785.tif 000009
【図８】
2017040785.tif 000010
【図９】
2017040785.tif 000011
【図１０】
2017040785.tif 000012
【図１１】
2017040785.tif 000013
【図１２】
2017040785.tif 000014
【図１３】
2017040785.tif 000015
【図１４】
2017040785.tif 000016
【図１５】
2017040785.tif 000017
【図１６】
2017040785.tif 000018
【図１７】
2017040785.tif 000019
【図１８】
2017040785.tif 000020
【図１９】
2017040785.tif 000021
【図２０】
2017040785.tif 000022
【図２１】
2017040785.tif 000023